【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
クロマトグラフィカラムを含むカラムクロマトグラフィ用の装置であって、
前記カラムが注入口と流出口とを有し、前記流出口に、溶離液の流れを、前記溶離液の流れが前記流出口から前記カラムを出る際に少なくとも２つの別個の部分に分割するように構成されているフリットアセンブリが設けられ、前記装置が前記部分を別個に処理するように構成されている、装置。
【請求項２】
前記流出口が、前記流れの第１の部分を第１の処理手段に、前記流れの第２の部分を前記第１の処理手段とは別個の第２の処理手段に案内するように構成されている、請求項１に記載の装置。
【請求項３】
前記少なくとも２つの別個の部分が、前記カラムの異なる半径方向領域から出て、
第１の部分が前記カラムの中心半径方向領域から出て、第２の部分が前記中心半径方向領域の半径方向外側に位置する半径方向領域から出て、
前記カラムの前記中心半径方向領域が、前記カラム内の前記注入口から前記流出口までを貫通する中心軸線上に実質的に位置する領域である、請求項１または２に記載の装置。
【請求項４】
前記流出口が、前記溶離液の流れを、前記溶離液の流れが前記カラムを出る際に３つ以上の別個の部分に分割するように配置されている、請求項１〜３のいずれか一項に記載の装置。
【請求項５】
溶離液の１つの部分が、体積比で全溶離液の５０％以下、４５％以下、４０％以下、３５％以下、３０％以下、２５％以下、２０％以下、１５％以下、１０％以下、または５％以下である、請求項１〜４のいずれか一項に記載の装置。
【請求項６】
前記フリットアセンブリが、流れ障壁によって分離された少なくとも２つの別個のフリットセクションを含む、請求項１〜５のいずれか一項に記載の装置。
【請求項７】
前記フリットが、少なくとも１つの半径方向中心フリットセクションと、前記少なくとも１つの中心フリットセクションを取り囲む流れ障壁と、前記少なくとも１つの中心フリットセクションを取り囲み、前記少なくとも１つの中心フリットセクションから前記流れ障壁によって分離された少なくとも１つの半径方向外側フリットセクションと、を含む、請求項６に記載の装置。
【請求項８】
前記外側フリットセクションの面積と前記中心フリットセクションの面積の比率が約２．５：１〜約１．５：１である、請求項７に記載の装置。
【請求項９】
前記流れ障壁の幅が各フリットセクションの幅よりも狭い、請求項７または８に記載の装置。
【請求項１０】
前記フリットアセンブリが、前記溶離液の流れを少なくとも２つの別個の部分に分離するための少なくとも２つの孔を有する外側非多孔質取付具を含む、請求項６〜９のいずれか一項に記載の装置。
【請求項１１】
前記カラムが前記流出口に流分配器を有し、前記流分配器内の別個の流路内において前記溶離液流の前記少なくとも２つの別個の部分を運ぶ、請求項１〜１０のいずれか一項に記載の装置。
【請求項１２】
前記流分配器が、
少なくとも１つの流路の第１のセットであって、使用時、溶離液の第１の部分を運ぶために前記第１のセットが前記カラムの第１の半径方向領域内にあるように配置された少なくとも１つの流路の第１のセットと、
少なくとも１つの流路の第２のセットであって、使用時、溶離液の第２の部分を運ぶために前記第２のセットが前記カラムの第２の半径方向領域内にあるように配置された少なくとも１つの流路の第２のセットと、
を含み、
前記カラムの前記第１の半径方向領域が中心半径方向領域であり、前記カラムの前記第２の半径方向領域が前記中心半径方向領域の半径方向外側にある領域である、請求項１１に記載の装置。
【請求項１３】
前記流分配器が、前記第１のセット内の１つの中心流路と、前記第２のセット内の３〜１０個の外側流路とを含む、請求項１２に記載の装置。
【請求項１４】
前記流分配器が、使用時、前記フリットアセンブリの１つまたは複数の非多孔質部品に接触しているため、前記フリットアセンブリの前記１つまたは複数の非多孔質部品が、前記フリットと前記流分配器との間にシールを提供し、それによって溶離液流の隣接する部分を互いに密封する、請求項６〜１０のいずれか一項に従属する場合の、請求項１２又は１３に記載の装置。
【請求項１５】
前記溶離液の少なくとも１つの部分を、１つまたは複数の他の部分とは別個に検出するように配置された検出器を含む、請求項１〜１４のいずれか一項に記載の装置。
【請求項１６】
前記溶離液の少なくとも１つの部分の画分を、前記１つまたは複数の他の部分とは別個に回収するように配置されたフラクションコレクタを含む、請求項１〜１５のいずれか一項に記載の装置。
【請求項１７】
前記検出器または前記フラクションコレクタが、前記カラムの中心半径方向領域から出た前記溶離液の部分の画分を別個に検出または回収するように配置されている、請求項１５または１６に記載の装置。
【請求項１８】
１つまたは複数の部分を廃液受器またはＬＣカラムの前記注入口に送るように構成されている、請求項１〜１７のいずれか一項に記載の装置。
【請求項１９】
前記カラムが、高速液体クロマトグラフィ（ＨＰＬＣ）、超高速液体クロマトグラフィ（ＵＨＰＬＣ）、多次元または二次元高速液体クロマトグラフィ（ＭＤＨＰＬＣまたは２ＤＨＰＬＣ）、フラッシュカラムクロマトグラフィ、高速タンパク質液体クロマトグラフィ（ＦＰＬＣ）および超臨界流体（ＳＣＦ）クロマトグラフィから選択される分析クロマトグラフィ用のカラムであるか、又は、前記カラムが分取クロマトグラフィ用のカラムである、請求項１〜１８のいずれか一項に記載の装置。
【請求項２０】
前記注入口が、移動相の前記流れを、独立して制御可能な少なくとも２つの別個の部分で前記カラム内に導入するように構成されており、かつ前記部分が前記カラム内を異なる半径方向領域において長手方向に流れるように、前記部分を前記カラムの異なる半径方向領域内に導入するように構成されており、
移動相の第１の部分が、前記カラムの中心半径方向領域内に導入され、移動相の第２の部分が、前記中心半径方向領域の半径方向外側に位置する周辺半径方向領域内に導入される、請求項１〜１９のいずれか一項に記載の装置。
【請求項２１】
分離される試料が移動相の前記第１の部分内に前記第２の部分内よりも高い濃度で含まれている、請求項２０に記載の装置。
【請求項２２】
前記注入口に、前記移動相を少なくとも２つの別個の部分に区分化するように構成された注入口フリットアセンブリが設けられている、請求項２０又は２１に記載の装置。
【請求項２３】
前記カラムが前記注入口に入口流分配器を有し、前記入口流分配器内の別個の流路において前記移動相の前記少なくとも２つの別個の部分を運ぶ、請求項２０又は２１に記載の装置。
【請求項２４】
カラムクロマトグラフィの方法であって、
成分に分離される試料を含む移動相を用意するステップと、
前記移動相を、クロマトグラフィカラム内において前記カラムの注入口から前記カラムの流出口まで長手方向に流すステップであって、前記移動相が溶離液として前記流出口を通じて前記カラムを出る、ステップと、
前記溶離液の流れを、前記溶離液の流れが前記流出口を通じて前記カラムを出る際に少なくとも２つの別個の部分に分割するように構成されたフリットアセンブリを前記流出口に提供するステップと、
前記少なくとも２つの別個の部分を別個に処理するステップと、を含み、
前記少なくとも２つの別個の部分が前記カラムの異なる半径方向領域から出て、
第１の部分が、前記カラムの中心半径方向領域から出て、第２の部分が、前記中心半径方向領域の半径方向外側に位置する半径方向領域から出て、
前記カラムの前記中心半径方向領域が、前記カラム内を前記注入口から前記流出口までを貫通する中心軸線上に実質的に位置する領域である、方法。
【請求項２５】
前記フリットアセンブリが、流れ障壁によって分離された少なくとも２つの別個のフリットセクションを含む、請求項２４に記載の方法。
【請求項２６】
前記フリットが、少なくとも１つの半径方向中心フリットセクションと、前記少なくとも１つの中心フリットセクションを取り囲む流れ障壁と、前記少なくとも１つの中心フリットセクションを取り囲み、前記少なくとも１つの中心フリットセクションから前記流れ障壁によって分離された少なくとも１つの半径方向外側フリットセクションと、を含む、請求項２５に記載の方法。
【請求項２７】
前記外側フリットセクションの面積と前記中心フリットセクションの面積との比率が約２．５：１〜約１．５：１である、請求項２６に記載の方法。
【請求項２８】
前記フリットアセンブリが、溶離液の前記流れを少なくとも２つの別個の部分に分離するための孔を有する外側非多孔質取付具を含む、請求項２６または２７に記載の方法。
【請求項２９】
前記カラムの前記流出口に流分配器を提供するステップであって、前記流分配器内の別個の流路内において前記溶離液流の前記少なくとも２つの別個の部分を運ぶステップを含む、請求項２４〜２８のいずれか一項に記載の方法。
【請求項３０】
前記流分配器が、使用時、前記フリットアセンブリの１つまたは複数の非多孔質部品に接触しているため、前記フリットアセンブリの前記１つまたは複数の非多孔質部品が、前記フリットと前記流分配器との間にシールを提供し、それによって溶離液流の隣接する部分を互いに密封する、請求項２５〜２８のいずれか一項に従属する場合の、請求項２９に記載の方法。
【請求項３１】
前記溶離液の少なくとも１つの部分を１つまたは複数の他の部分とは別個に検出するステップを含む、請求項２４〜３０のいずれか一項に記載の方法。
【請求項３２】
前記カラムの中心半径方向領域から出た前記溶離液の部分の画分を別個に検出するまたは回収するステップを含む、請求項３１に記載の方法。
【請求項３３】
前記移動相を前記注入口に独立して制御可能な少なくとも２つの別個の部分で提供するステップであって、前記少なくとも２つの別個の部分の少なくとも１つが分離される前記試料を含む、ステップと、
移動相の前記少なくとも２つの別個の部分を前記カラムの異なる半径方向領域内に導入するステップと、
移動相の第１の部分を前記カラムの中心半径方向領域内に、移動相の第２の部分を前記中心半径方向領域の半径方向外側に位置する周辺半径方向領域内に導入するステップと、をさらに含む、請求項２４〜３２のいずれか一項に記載の方法。
【請求項３４】
分離される前記試料が前記第２の部分においてよりも高い濃度で前記第１の部分に含まれる、請求項３３に記載の方法。
【請求項３５】
前記注入口に、前記移動相を少なくとも２つの別個の部分に区分化するように構成された注入口フリットアセンブリを提供するステップをさらに含む、請求項３３に記載の方法。
【請求項３６】
前記カラムに入口流分配器を提供するステップであって、前記入口流分配器内の別個の流路内において前記移動相の前記少なくとも２つの別個の部分を運ぶステップをさらに含む、請求項３４又は３５に記載の方法。